(57)【特許請求の範囲】
【請求項１】
選別装置または選別装置を備えた籾摺機の排塵口に接続して、その排塵口から排風とともに排出される籾殻を分離して収集する籾殻回収装置であって、
排風を導入して旋回させながら籾殻を分離する籾殻分離部と、この分離部で分離された籾殻を上端が開口している無通気性袋に収集する籾殻収集部からなり、
籾殻分離部は、排風を導入して旋回させながら籾殻を分離するサイクロンであり、
籾殻収集部は、無通気性袋を容器形態に保持する外枠体と、この外枠体内に上端開口側から挿入して無通気性袋内に堆積した籾殻を押圧する籾殻押圧体とで構成されており、
前記籾殻押圧体は、外枠体内で容器形態に保持された無通気性袋の略開口全面に覆う押し下げ面を有し、かつこの押し下げ面の中心部に無通気性袋の上部を絞り込み挿通する袋開口保持部を備えた構成であるとともに、
前記サイクロンの籾殻排出口に直接またはスクリューコンベアを介して連通しているダクトに対して前記外枠体内で容器形態に保持された無通気性袋の上部が密閉状を保つように構成されており、
前記サイクロンの籾殻排出口から排出される籾殻を前記籾殻押圧体の袋開口保持部から無通気性袋に充填し、かつ籾殻押圧体の押し下げにともなって無通気性袋内の空気をサイクロンに抜きながら堆積している籾殻を無通気性袋の下側に押し込むように押し固めて成型する構造を成していることを特徴とする籾殻回収装置。
【請求項２】
スクリューコンベアは、サイクロンを構成する円錐筒体の周面に沿わせて傾斜状に設け、その傾斜上端側から籾殻収集部に向けた籾殻を流下させるダクトを設けていることを特徴とする請求項１記載の籾殻回収装置。
【請求項３】
サイクロンの籾殻排出口と籾殻収集部との間に、籾殻を一時的に貯留する籾殻貯留タンクを介在させたことを特徴とする請求項１記載の籾殻回収装置。
【請求項４】
籾殻収集部は、無通気性袋を容器形態に保持する外枠体を振動させる加振装置を備えていることを特徴とする請求項１、２または３記載の籾殻回収装置。
【発明の詳細な説明】
【０００１】
【発明の属する技術分野】
本発明は、選別装置または選別装置を備えた籾摺機の排塵口に接続して、その排塵口から排風とともに排出される籾殻を無通気性袋に成型態様で収集する籾殻回収装置に関する。
【０００２】
【従来の技術】
籾摺機には、籾摺装置と選別装置を別々にしたもの、あるいは籾摺装置と選別装置を一体に構成したものがあるが、籾殻や粃などは、選別装置または選別装置を備えた籾摺機の排塵口から排風とともに排出されるので、籾摺り作業による周辺の環境悪化を避けるため、排出される籾殻は収集袋によって回収することが望まれている。そして、従来からサイクロンにより排風中の籾殻を分離して収集袋に収集する籾殻回収装置が提案されている（実開昭６３−２５１４７号公報参照）。
【０００３】
【発明が解決しようとする課題】
実開昭６３−２５１４７号公報にも示すように、従来のサイクロンによる籾殻回収装置にあっては、サイクロンで分離した籾殻を収集袋に流入させて詰めるだけであるので、籾殻は収集袋内でかさばってしまい、収集袋の収納容積に見合う十分な量の籾殻を収集することができなかった。また、収集袋に収集する籾殻の量を増やすため、籾殻がかさばったままで満杯に近くなった際に収集袋を外側から押し付けることが行われているが、収集袋を外側から押し付けると内部の籾殻が溢れ出たり、細塵を含んだ空気が吹き出すなどの不具合がともなうものである。
【０００４】
【発明が解決しようとする課題】
そこで、本発明は、このような従来のものの問題点を解消しようとするものであって、籾殻分離部で分離された籾殻を、外枠体によって容器態様に保持した無通気性袋に収集するとともに、無通気性袋内の堆積籾殻を、空気抜き構造を備えた籾殻押し固め体によって無通気性袋の上端開口部から空気を抜きながら押し固めることにより、無通気性袋に成型態様で効率よく収集することができる籾殻回収装置を提供することを目的とするものである。
【０００５】
【課題を解決するための手段】
上記目的を達成するため、本発明は次のように構成した、すなわち、本発明の請求項１に係る籾殻回収装置は、選別装置または選別装置を備えた籾摺機の排塵口に接続して、その排塵口から排風とともに排出される籾殻を分離して収集する籾殻回収装置であって、排風を導入して旋回させながら籾殻を分離する籾殻分離部と、この分離部で分離された籾殻を上端が開口している無通気性袋に収集する籾殻収集部からなり、籾殻分離部は、排風を導入して旋回させながら籾殻を分離するサイクロンであり、籾殻収集部は、無通気性袋を容器形態に保持する外枠体と、この外枠体内に上端開口側から挿入して無通気性袋内に堆積した籾殻を押圧する籾殻押圧体とで構成されており、前記籾殻押圧体は、外枠体内で容器形態に保持された無通気性袋の略開口全面に覆う押し下げ面を有し、かつこの押し下げ面の中心部に無通気性袋の上部を絞り込み挿通する袋開口保持部を備えた構成であるとともに、前記サイクロンの籾殻排出口に直接またはスクリューコンベアを介して連通しているダクトに対して前記外枠体内で容器形態に保持された無通気性袋の上部が密閉状を保つように構成されており、前記サイクロンの籾殻排出口から排出される籾殻を前記籾殻押圧体の袋開口保持部から無通気性袋に充填し、かつ籾殻押圧体の押し下げにともなって無通気性袋内の空気をサイクロンに抜きながら堆積している籾殻を無通気性袋の下側に押し込むように押し固めて成型する構造を成していることを特徴とするものである。
【０００６】
本発明の請求項２に係る籾殻回収装置は、請求項１記載の構成において、スクリューコンベアは、サイクロンを構成する円錐筒体の周面に沿わせて傾斜状に設け、その傾斜上端側から籾殻収集部に向けた籾殻を流下させるダクトを設けていることを特徴とするものである。
【０００７】
本発明の請求項３に係る籾殻回収装置は、請求項１記載の構成において、サイクロンの籾殻排出口と籾殻収集部との間に、籾殻を一時的に貯留する籾殻貯留タンクを介在させたことを特徴とするものである。
【０００８】
本発明の請求項４に係る籾殻回収装置は、請求項１、２または３記載の構成において、籾殻収集部は、無通気性袋を容器形態に保持する外枠体を振動させる加振装置を備えていることを特徴とするものである。
【０００９】
なお、本発明において、籾殻とは、籾殻のほか、粃、藁屑その他の塵埃であって選別装置または選別装置を備えた籾摺機の排風口から排風にともなって排出されるものも含む概念である。
【００１０】
【発明の実施の形態】
図１は本発明に係る籾殻回収装置の第１の実施の形態を示す断面図、図２は本発明に係る籾殻回収装置の第２の実施の形態を示す断面図、図３は本発明に係る籾殻回収装置の第３の実施の形態を示す断面図、図４は本発明に係る籾殻回収装置の第４の実施の形態を示す一部の断面図、図５は本発明に係る籾殻回収装置の第５の実施の形態を示す断面図である。図６および図７は籾殻回収装置の第６の実施の形態を示す一部の断面図、図８および図９は籾殻回収装置の第７の実施の形態を示す一部の断面図、図１０および図１１は籾殻回収装置の第８の実施の形態を示す一部の断面図、第１２図および第１３図は籾殻回収装置の第９の実施の形態を示す一部の断面図、図１４は籾殻回収装置の第１０の実施の形態を示す一部の断面図、図１５は籾殻回収装置の第１１の実施の形態を示す一部の断面図、図１６は籾殻回収装置の第１２の実施の形態を示す一部の断面図、図１７は籾殻回収装置の第１３の実施の形態を示す一部の断面図、図１８は籾殻回収装置の第１４の実施の形態を示す一部の断面図である。
【００１１】
図１９は本発明に係る籾殻回収装置を装備した籾乾燥調製施設の平面図およびその正面図、図２０は従来の籾乾燥調製施設の平面図およびその正面図である。
【００１２】
図１に示す第１の実施の形態において、１は籾殻回収装置である。この籾殻回収装置１は、サイクロン２を備えて構成されており、サイクロン２は円錐筒体３とその上端側に接続された円筒状の旋回部４とで構成されている。そして、旋回部４には、接線方向に排風を導入する排風導入口５が開口されており、旋回部４の閉じた上端面には筒状の排風口６が設けられている。
【００１３】
サイクロン２を構成する円錐筒体３の下端は籾殻が落下する籾殻排出口７となっており、この籾殻排出口７には２つに分岐されたダクト８，９が接続されており、その分岐部には切替シャッタ１０が設けられている。各ダクト８，９の下端は袋装着部１１，１１をなしている。
【００１４】
１２，１２は籾殻収集部である。この籾殻収集部１２，１２は、無通気性袋（ポリエチレン製袋等）１３を容器形態に保持する外枠体１４と、この外枠体１４内に上端開口側から挿入して無通気性袋１３内に堆積した籾殻を押圧する籾殻押圧体１５とで構成されており、籾殻押圧体１５は、その押し下げにともなって無通気性袋１３内の空気を排出する空気抜き構造をなしている。すなわち、籾殻押圧体１５は、外枠体１４内で容器形態に保持された無通気性袋１３の略開口全面に覆う押し下げ面１５ａを有し、かつこの押し下げ面１５ａの中心部に無通気性袋１３の上部を絞り込み挿通する袋開口保持部１５ｂを有している。各外枠体１４内に容器形態に保持した無通気性袋１３は、その上部を袋開口保持部１５ｂに挿通したうえ袋装着部１１と外枠体１４との間に挟んで無通気性袋１３の上部が密閉状を保って、無通気性袋１３の上部がダクト８（９）を介してサイクロン２の籾殻排出口７と連通しており、この構成が無通気性袋１３内の空気抜き構造を成している。
【００１５】
図２に示す第２の実施の形態おいては、サイクロン２の籾殻排出口７と２つに分岐されたダクト８，９とを水平状に架設したスクリューコンベア１６によって連絡している。また、図３に示す第３の実施の形態においては、次のように構成されている。
【００１６】
サイクロン２の籾殻排出口７に基端を接続したスクリューコンベア１６は、サイクロン２の円錐筒体３の外面に沿って傾斜状に設けられている。なお、これら第２または第３の実施の形態においてその他の構成は第１の実施の形態と同等であるから、同構成の部位には同符号を付してその説明を省略する。
【００１７】
図３に示す第３の実施の形態においては、図示を省略しているが、スクリューコンベア１６は、サイクロン２を構成する円錐筒体３の下端側を基点として傾斜角を調節可能に構成することができ、スクリューコンベア１６は、サイクロン２を構成する円錐筒体３の下端を軸心として水平方向に所要角度ないし３６０度方向変更自在に構成することもできるようにするとよく、また、スクリューコンベア１６は、円錐筒体３の周面に近接または当接して傾斜状に設けるとよい。
【００１８】
以上のように構成された本発明の第１、第２または第３の実施の形態に係る籾殻回収装置１において、サイクロン２により分離された籾殻は、サイクロン２の籾殻排出口７から直接またはスクリューコンベア１６を介してダクト８，９に送られ、切替シャッタ１０の切り替えで選択された一方のダクト８（図示の態様）が対応する籾殻収集部１２において、無通気性袋１３に充填される。すなわち、籾殻収集部１２においては、外枠体１４内に無通気性袋１３を容器状に保持し、その上端部を前述のように装着して、無通気性袋１３内の上部を密閉状にしてダクト８に通じるようにする。そして、無通気性袋１３には籾殻が略満杯になるまで充填する。
【００１９】
次いで、籾殻押圧体１５を押し下げて、無通気性袋１３の上部から空気を袋開口保持部１５ｂからサイクロン２に抜きながら堆積している籾殻を無通気性袋１３の下側に押し込むように押し固めて成型する。そして、無通気性袋１３の上部を、成型された籾殻の上面に密着する状態に封止めしたうえ、外枠体１４の開閉口を開いて籾殻を成型体として取り出す。
【００２０】
このように成型された籾殻は、無通気性袋１３によりその全面が密着状の包装体をなしているので、運搬や輸送中、あるいは積み重ねても崩れることがない。また、成型された籾殻は無通気性袋１３で密閉状に覆われていて、風雨や雪にさらされても差し支えがないので、そのまま外積みもできる。成型された籾殻は、無通気性袋１３を剥離して堆肥化ができ、ボイラーなどの燃料としてはそのまま使用することができる。
【００２１】
なお、籾殻収集部１２のダクト８，９は２つ設けられているので、切替シャッタ１０の切り替えにより、上記作業を中断することなく交互連続的に行うことができる。
【００２２】
図４に示す第４の実施の形態は、図１に示す第１の実施の形態のものにおいてサイクロン２の籾殻排出口７とダクト８（９）の間に、籾殻を一時的に貯留するタンク１７を介在させてあり、タンク１７とダクト８との間にはシャッタ１８を設けてある。図５に示す第５の実施の形態には、図２に示す第２の実施の形態においてサイクロン２の籾殻排出口７とダクト８の間に、籾殻を一時的に貯留するタンク１７を介在させてあり、タンク１７とダクト８との間にはシャッタ１８を設けてある。なお、これらの実施の形態のその他の構成はそれぞれ第１または第２の実施の形態と同様である。
【００２３】
第４または第５の実施の形態のように、サイクロン２の籾殻排出口７とダクト８の間に、籾殻を一時的に貯留するタンク１７を介在させることにより、サイクロン２による籾殻の分離処理と籾殻収集部１２における収集作業との調整を図ることができる。さらにシャッタ１８を備えることにより、サイクロン３における籾殻の分離作業を続行したままでも、籾殻収集部１２における作業を一時的に中断することができるので、作業工程の調整が容易である。
【００２４】
図６および図７に示す第６の実施の形態においては、籾殻押圧体１５を強制的に押し下げる押圧装置１９，１９を備えている。この実施の形態においては、無通気性袋１３の上部を袋開口保持部１５ｂに挿通したうえダクト８に密閉状に止め具２０により止めておき、籾殻を充填して成型後はその止め具２０（または別の止め具）によって無通気性袋１３を封止めする。
【００２５】
図８および図９に示す第７の実施の形態においては、第６の実施の形態のものに、上部が密閉状を保っている無通気性袋１３の上部から内部空気を強制吸引排出する吸引装置２１を備えている。２２はその空気吸引管、２３は排気口である。この実施の形態においては、無通気性袋１３内に堆積した籾殻を押圧装置１９，１９により強制的に押圧するとともに内部の空気を吸引装置２１により強制的に排除するので、無通気性袋１３に充填された籾殻を高密度に固く成型することができる。なお、この実施の形態においては、吸引装置２１による空気の吸引効率を高くするため、ダクト８の途中にシャッタ２４を備えることが好ましい。
【００２６】
図１０および図１１に示す第８の実施の形態は、第７の実施の形態のものの籾殻収集部１２において、外枠体１４の下に加振装置２５を備えている。この加振装置２５は、無通気性袋１３に籾殻を充填中に作動させて無通気性袋１３に振動を加えるが、この加振作用により籾殻を高い密度をもって充填することができる。なお、籾殻の成型工程では振動を止めてその作業をする。
【００２７】
このように、第８の実施の形態においては、無通気性袋１３に籾殻を高い密度をもって充填することができるので、成型のための籾殻押圧体５およびその関連機構を省くことが可能である。その構成を第９の実施の形態として図１２および図１３に示す。
【００２８】
図１４は第１０の実施の形態を示している。この実施の形態においては、籾殻収集部１２を、外枠体１４に無通気性袋１３を容器形態に保持して籾殻を充填する籾殻充填部２６と、籾殻を充填した無通気性袋１３を外枠体１４ごと籾殻充填部２６から搬送するコンベア部２７とに分けて構成し、コンベア部２７に、無通気性袋１３を押圧して内部の空気を排出しながら成型する籾殻成型装置２８を備えている。そして、籾殻充填部２６には、無通気性袋１３を容器形態に保持する外枠体１４を振動させる加振装置２５を備えている。籾殻成型装置２８は、籾殻を充填した無通気性袋１３をその外側から押圧する籾殻押圧体１５とそれを強制的に押し下げる押圧装置１９，１９と、無通気性袋１３の内部から空気を強制的に排除する吸引装置２１とで構成されている。この実施の形態において、コンベア部２７において成型された籾殻は、外枠体１４から取り出して搬送する。
【００２９】
図１５は第１１の実施の形態を示している。この実施の形態においては、サイクロン２から籾殻収集部１２の無通気性袋１３に収集される籾殻に粘着剤または接着剤その他の成型補助材を混合する成型補助材混合装置２９を備えている。すなわち、この成型補助材混合装置２９は、籾殻収集部１２（１２）に向けたダクト８，９の下端より、無通気性袋１３内に、粘着剤または接着剤その他の成型補助材の噴射ノズル３０を備えて成るものである。
【００３０】
成型補助材の噴射装置２９の噴射ノズル３０からは成型補助材を連続的に噴射して、籾殻収集部１２において無通気性袋１３に堆積する籾殻に成型補助材を均等に混合して、全体に塊状をなすように成型するが、成型補助材は適当な時間間隔ごとに間欠的に噴射して堆積する籾殻に間隔をおいて成型補助材の層を形成しても、籾殻を十分全体を塊状に成型することが可能である。そして、このようにすることにより、成型補助材を節約することができる。
【００３１】
一方、成型補助材は、籾殻収集部１２において無通気性袋１３に所定料の籾殻を充填した後、その堆積した籾殻の上から散布または投入して、籾殻押圧体１５による押し下げ圧力により、堆積した籾殻に成型補助材を行きわたらせるようにしてもよい。
【００３２】
このように、堆積する籾殻に成型補助材を混合すると籾殻自体がそのまま固化するので、籾殻収集部１２の外枠体１４を上面が開放した容器状のものとして、それに直に籾殻を堆積させて成型することも可能である。なお、その形態の図示は省略する。
【００３３】
図１６は第１２の実施の形態を示している。この実施の形態においては、ダクト８，９の共通部に籾殻粉砕装置３１を介在させている。そして、サイクロン２で分離されて送られてくる籾殻を粉砕したうえ、籾殻収集部１２の無通気性袋１３に充填する。
【００３４】
このように、籾殻を粉砕するとその堆積が大幅に小さくなるので、無通気性袋１３の籾殻充填率を大きく向上させることができる。また、この実施の形態において籾殻に成型補助材を混合させて成型すると、籾殻の固化状態がよくなるうえ、成型補助材の使用量を大幅に少なくすることができる。
【００３５】
図１７に示す第１３の実施の形態は、第１０の実施の形態のものに、籾殻充填部２６に、粘着剤または接着剤その他の成型補助材の噴射装置２９の噴射ノズル３０をダクト８，９の下端から無通気性袋１３内に設け、またダクト８，９の共通部の搬送経路に籾殻粉砕装置３１を介在することにより、籾殻の堆積が大幅に減少させた固化状態よい籾殻の成型体を連続して成型することができる。
【００３６】
図１８に示す第１４の実施の形態は、第１０，１３の実施の形態において、コンベア部２７の搬送終端側に、成型籾殻を運搬するフォークリフト３２を横付けできるようにしたものである。この実施の形態によれば、成型籾殻を効率よく所要の場所に運搬することができる。
【００３７】
図１９は本発明に係る籾殻回収装置１を装備した籾乾燥調製施設を例示している。３３は乾燥機群、３４は籾摺機、３５は乾燥籾タンク、３６は玄米タンクである。荷受けピット３７で荷受けされた籾は乾燥機群３３で乾燥され、乾燥された籾は乾燥籾タンク３５に貯留される。そして、乾燥籾タンク３５に貯留された乾燥籾は籾摺機３４で籾摺りされ、玄米は玄米タンク３６に貯留されたうえ出荷される。籾摺機３４から排出される籾殻は、本発明に係る籾殻回収装置１で成型されるが、成型された籾殻は籾乾燥調製施設の建屋３８外に出して積み上げておくことにより、建屋３８内の作業空間を広く確保することができる。３９はコンベア、４０は昇降機、４１は荷受けホッパーである。
【００３８】
これに対して、図２０に示す従来の籾乾燥調製施設では、籾殻をそのままで貯留するので、籾乾燥調製施設の建屋３８には籾殻貯蔵庫４２を設けなければならず、施設が大掛かりになるだけでなく、籾殻貯蔵庫４２を確保する分だけ建屋３８内の作業空間が狭められる。
【００３９】
【発明の効果】
本発明によれば、籾殻分離部で分離された籾殻を、外枠体によって容器態様に保持した無通気性袋に収集するとともに、無通気性袋内の堆積籾殻を、空気抜き構造を備えた籾殻押圧体によって無通気性袋の上端開口部から空気を抜きながら押し固めることにより、無通気性袋に成型態様で効率よく収集することができる籾殻回収装置を提供することができる。
【図面の簡単な説明】
【図１】  本発明に係る籾殻回収装置の第１の実施の形態を示す断面図である。
【図２】  本発明に係る籾殻回収装置の第２の実施の形態を示す断面図である。
【図３】  本発明に係る籾殻回収装置の第３の実施の形態を示す断面図である。
【図４】  本発明に係る籾殻回収装置の第４の実施の形態を示す一部の断面図である。
【図５】  本発明に係る籾殻回収装置の第５の実施の形態を示す断面図である。
【図６】  籾殻回収装置の第６の実施の形態を示す一部の断面図である。
【図７】  図６の状態から籾殻の成型工程を示す断面図である。
【図８】  籾殻回収装置の第７の実施の形態を示す一部の断面図である。
【図９】  図８の状態から籾殻の成型工程を示す断面図である。
【図１０】  籾殻回収装置の第８の実施の形態を示す一部の断面図である。
【図１１】  図１０の状態から籾殻の成型工程を示す断面図である。
【図１２】  籾殻回収装置の第９の実施の形態を示す一部の断面図である。
【図１３】  図１２の状態から籾殻の成型工程を示す断面図である。
【図１４】  籾殻回収装置の第１０の実施の形態を示す一部の断面図である。
【図１５】  籾殻回収装置の第１１の実施の形態を示す一部の断面図である。
【図１６】  籾殻回収装置の第１２の実施の形態を示す一部の断面図である。
【図１７】  籾殻回収装置の第１３の実施の形態を示す一部の断面図である。
【図１８】  籾殻回収装置の第１４の実施の形態を示す一部の断面図である。
【図１９】  本発明に係る籾殻回収装置を装備した籾乾燥調製施設の平面図およびその正面図である。
【図２０】従来の籾乾燥調製施設の平面図およびその正面図である。
【符号の説明】
１  籾殻回収装置
２  サイクロン
３  円錐筒体
４  旋回部
５  排風導入口
６  排風口
７  籾殻排出口
８，９  ダクト
１０  切替シャッタ
１１  袋装着部
１２  籾殻収集部
１３  無通気性袋
１４  外枠体
１５  籾殻押圧体
１５ａ  押し下げ面
１５ｂ  袋開口保持部
１６  スクリューコンベア
１７  タンク
１８  シャッタ
１９  押圧装置
２０  止め具
２１  吸引装置
２２  空気吸引管
２３  排気口
２４  シャッタ
２５  加振装置
２６  籾殻充填部
２７  コンベア部
２８  籾殻成型装置
２９  成型補助材混合装置
３０  噴射ノズル
３１  籾殻粉砕装置
３２  フォークリフト
３３  乾燥機群
３４  籾摺機
３５  乾燥籾タンク
３６  玄米タンク
３７  荷受けピット
３８  籾乾燥調製施設の建屋
３９  コンベア
４０  昇降機
４１  荷受けホッパー
４２  籾殻貯蔵庫
【図１】
0004251754.tif 000002
【図２】
0004251754.tif 000003
【図３】
0004251754.tif 000004
【図４】
0004251754.tif 000005
【図５】
0004251754.tif 000006
【図６】
0004251754.tif 000007
【図７】
0004251754.tif 000008
【図８】
0004251754.tif 000009
【図９】
0004251754.tif 000010
【図１０】
0004251754.tif 000011
【図１１】
0004251754.tif 000012
【図１２】
0004251754.tif 000013
【図１３】
0004251754.tif 000014
【図１４】
0004251754.tif 000015
【図１５】
0004251754.tif 000016
【図１６】
0004251754.tif 000017
【図１７】
0004251754.tif 000018
【図１８】
0004251754.tif 000019
【図１９】
0004251754.tif 000020
【図２０】
0004251754.tif 000021